(57)【要約】【課題】  ストーブの枠体を磁性体で構成し、下方に設けた温風吹出口から吹き出された温風を、暖房以外の例えば、お湯を沸かすのに利用できるようにしたストーブ用加温台であって、加温台が不用意に移動するのを防止し、火傷を未然に防止すること。【解決手段】  鉄板で構成されたストーブの吹き出し口の前面に設置する加温台であって、加温台が不用意に移動するのを防止するために、加温台の枠体の一辺あるいは対向辺に永久磁石を設けたもの。【選択図】図１
2020190403.tif 000002
【特許請求の範囲】
【請求項１】
ストーブの吹き出し口の前面に設置する加温台であって、加温台が不用意に移動するのを阻止するため、加温台のネットを張設した枠体の一辺あるいは対向辺、あるいはその両方に固定具を設けたストーブ用加温台。
【請求項２】
鉄板などの磁性体で構成されたストーブの吹き出し口の前面に設置する加温台であって、加温台が不用意に移動するのを阻止するため、加温台のネットを張設した枠体の一辺あるいは対向辺、あるいはその両方に、ストーブ本体の前面に磁気的に吸着する永久磁石を設けたストーブ用加温台。
【請求項３】
非磁性体で構成されたストーブの吹き出し口の前面に設置する加温台であって、加温台が不用意に移動するのを阻止するため、加温台のネットを張設した枠体の一辺あるいは対向辺、あるいはその両方に、ストーブ本体の前面に吸着する永久磁石を設けたストーブ用加温台。
【請求項４】
前記請求項１乃至３記載のストーブ用加温台において、
枠体の内側に、やかんや食物を載せるエキスパッションメタルや網などを張設したものであるストーブ用加温台、
【請求項５】
前記請求項１乃至４記載のストーブ用加温台において、
加温台の下方に折り畳み可能なスタンドを取り付けてあるストーブ用加温台。
【発明の詳細な説明】
【技術分野】
【０００１】本発明は、ファンヒーターを備えたストーブの温風を利用して、お湯を沸かしたり、食物を温めたりするストーブ用加温台に関する。
更に詳しくは、枠体を鉄板で形成したストーブの吹き出し口の前に本発明の加温台を据え付けて、お湯を沸かしたりするストーブ用加温台で、加温台が不用意に移動したり転倒しないようにする固定具、例えば永久磁石を備えたストーブ用加温台に関するものである。
尚、本発明は、ストーブの枠体が非磁性体の場合、加温台の移動や転倒を防止するため前記の永久磁石に代えて吸盤を備えたストーブ用加温台を含む。
【背景技術】
【０００２】  一般的に従来は部屋を暖めるためにストーブが用いられる。
ストーブは、暖房をするのが目的で、その形態は、薪ストーブ、炭ストーブ、電気ストーブ、バーナーストーブ、石油ストーブ、ガスストーブ、バーナーによるストーブ、温水循環ストーブ、ファンヒーターなど種々の形態のストーブが存在している。【０００３】  前記ストーブは、形態にかかわらず熱容量が大きいので、その熱を暖房以外に利用することが昔から行われている。
その主なものとしては、ストーブ本体の天板に、やかん、なべ、焼き芋、その他の食物などを載せて、加熱、あるいは、温めてしたりすることである。
その例として次の特許文献１乃至３がある。【０００４】
【先行技術文献】
【特許文献】
【０００５】
【特許文献１】実開昭６１−４９２０８号公報
【特許文献２】実開昭６２−１６９９６７号公報
【特許文献３】実開平１−１０２６５３号公報
【発明の概要】
【発明が解決しようとする課題】
【０００６】  特許文献１に記載されている考案は「ストーブ用省エネ安全支持環」で、その構成は「バーナーを用いたストーブの天板上に支持環を載置し、支持環にやかん等を載せて、被加温物、被熱物を加温する」ように構成したものである
特許文献２に記載されている考案は「温風暖房機」で、その構成は、「バーナーによる熱源で発生する熱風の一部を本体の下方から吹き出させて主の暖房に使用し、もう一方の熱風は本体の上方に噴出するようにし、上方の熱風でやかんの湯を温めるようにした」ものである。
又、下方には吹き出し口を設けているが、吐き出された熱風あるいは温風は、暖房以外の目的には利用されていない。
特許文献３の考案は、「温風暖房機」で、その構成は上記の考案と同様に「バーナーの上方の天板にやかんを載せて湯を加熱あるいは加温するようにしたもの」である。【０００７】  前記特許文献１乃至３の考案には、ストーブ本体の天板に、あるいは上方の吹き出し口にやかんなどを載せて湯を沸かしたり、温めたりすることができると記載されているが、特許文献２のように、ストーブ本体の下方に設けた吹き出し口から吐き出された温風又は熱風は、暖房以外に利用されていない。【０００８】  本発明は前記に着目し、磁性体の枠体で構成したストーブの下方に配置された温風吹出口から吹き出された温風を、暖房以外の、例えば、お湯を沸かすなどに利用できる安全なストーブ用加温台を提供することを目的とする。【０００９】  具体的には、ストーブの下方前面に設けた温風吹き出し口の前に、お湯を加温や加熱し、あるいは食物を温めることが出来るように加温台を設置し、この加温台が不用意に移動や転倒するのを防止することである。
すなわち、加温台が不用意に移動、又は、転倒して火傷することなどを未然に防止することである。
【課題を解決するための手段】
【００１０】  前記課題を達成するために本発明は、鉄板などの磁性体で構成されたストーブの吹き出し口の前面に設置する加温台であって、加温台が不用意に移動するのを防止するために、加温台の枠体の一辺あるいは対向辺に、前記加温台の移動や転倒を阻止するために、加温台に着脱自在の固定具を設けたものである。【００１１】  具体的に前記固定具は、前記ストーブの枠体が磁性体で構成されている場合は，磁気的に着脱自在に吸着する永久磁石としたものであり、前記ストーブの枠体が非磁性体の場合は前記永久磁石に換えて吸盤としたものである。【００１２】  又、枠体の内側に張設するネットを、エキスパッションメタルで形成し、高強度とすると共に軽量化を図ったものである。
更に、加温台の下方に折り畳み可能なスタンドを取り付け、コンパクトで持ち運びや収納に便利な加温台を提供することである。
【発明の効果】
【００１３】  本発明は上記構成により、ストーブの前に設置する加温台に固定具、例えば永久磁石を設けたので、加温台が不用意に移動するのが防止され、やかんなどが落下して火傷する事故を未然に防止することができる。
又、やかんや食物を載せる部材を、網やエキスパッションメタルで構成したので上下に高剛性で軽くなり、スタンドを設けたことに相俟って持ち運びが容易になると共に取り扱いが容易になる。
【図面の簡単な説明】
【００１４】
【図１】本発明の一実施例を示すもので、（イ）は全体の斜視図、（ロ）はスタンド支持部の拡大図。
【図２】他の実施例を示す断面図。
【図３】本発明の使用例を示す斜視図。
【図４】同じくスタンドを収納した状態を示す図。
【発明を実施するための形態】
【００１５】  以下、本発明の全体構成を、図１の（イ）及び（ロ）に基づいて説明する。
１は、アルミニウムで断面Ｌ型鋼に四角に成形された網枠である。網枠１には、内周に折り曲げた鍔部２が形成されている。鍔部２には、その内側に金網３が張設されている。
金網３は、いわゆる針金で網状に編んだものでも、エキスパッションメタルでも良いが、上部にやかんや焼き芋のような食物を載せるのに耐えられる強度であればよい。
前記、金網３自体が弱い場合であっても、金網３が型鋼で高い剛性の網枠１に強く張設されていれば強度的に問題ない。
尚、金網３を上下に剛性が大きいエキスパッションメタルで形成すれば、水で満たされたやかんや重いものを担持する場合でも安心できる。
【００１６】  ４は、前記網枠１に回転自在に支持された左右一対のスタンドで、手によって外側から内側に力を加えると内側に撓む太めの針金で成形されている。５は、スタンド４の下辺に外方向で直角に折り曲げた設置部で、スタンドを折り畳むときの手掛けにも利用でき便利である。
４−１は、スタンド４の上端を外方向に直角に折り曲げた折り曲げ部であり、前記網枠１の垂直部に穿設した後述の小孔１−１に回転自在に挿入するものである。
設置部５は、スタンド４の下方で外側に直角に折り曲げられているので、接地面が見掛け上広くなり、前記加温台は安定して支持できる。
【００１７】  次に、スタンドの支持構成について、図１（ロ）に基ついて説明する。
１−１は、前記したように網枠１の垂直部に穿設された小孔で、前述のようにスタンド４の上端の折り曲げ部４−１を回転自在に支持する。２−２は、スタンド４の針金を通すことができる幅広の溝で、前記鍔部２に切り欠き形成している。
この溝２−２の長さは、網枠１とスタンド４の上端に設けられた抜け止め６間の距離Ｇより短く形成されている。
【００１８】  そして、スタンド４の上端部を図示のように直角に折り曲げた折り曲げ部４−１を前記小孔１−１に挿入し、スタンド４を溝２−２に通すようにすればスタンド４は立脚する。このとき、加温台が後述する永久磁石７のような固定具によってストーブに固定されているので、加温台は、不用意に移動することや、転倒することがなくなる。
すなわち、本発明の加温台は安定して支持することができる。
【００１９】  そして、図２のようにスタンド４を外側から押して図２の二点鎖線のように溝２−２から外せば、スタンド４は回転できるようになり、図４のように内側に折り畳むことができる。
６は、小孔１−１を通したスタンド４の先端に設けた抜け止めで、抜け止め６と網枠１間の間隔Ｇは、前記溝２−２の長さより長くしてある。
【００２０】  ７は、網枠１の後辺に、接着剤やねじなどによって取り付けられ、加温台の移動や転倒を阻止する固定具であり、一例として永久磁石７で構成し、図３のように、鉄板で形成されたファンヒーター２０の外枠に磁気的に吸着し、加温台を保持するように構成されている。
【００２１】  ファンヒーター２０の外枠が磁性板でないプラスチックの場合は、ファンヒーター２０に加温台を磁気的に吸着保持できないので、この場合固定具７は、吸盤で代替し、同様にファンヒーター２０の移動や転倒を阻止する。
【００２２】  尚、永久磁石７や永久磁石に代える吸盤は、網枠１の後辺に取り付けているが、網枠１の前辺に取り付けても差し支えないものであり、任意に選択できる事項である。
前述の永久磁石７や吸盤は、いずれも着脱自在であり、従って加温台を移動するときや片付けるときに、加温台をストーブから自由に引き離すことができる。
【００２３】  図２は、前記図１（イ）の右方向から見た他の実施例の側断面図で、前記一実施例の構成に前後に対向した支持枠１０を追加したものである。
支持枠１０は、前記と同様のアルミニウムで形成され、前後の対向辺のみを網枠１に溶接するようにしたものであるが、前記図１のように、四角状に成型した方が強固になり好ましいといえる。
【００２４】  この一実施例の構成で網枠１０は左右に存在しないので、この場合は網３の左右端を上方に折り曲げ立ち上がらせて、やかんや食物の落下を防止するようにする。
又、網３をエキスパッションメタルにすれば容易に構成できる。
【００２５】  １０−１は、図１の１−１と同様の小孔で、１０−２は、同じく図１の溝２−２と同様の溝である。６は、スタンド４の上端を折り曲げて、前記小孔１０−１に挿入し、その先端に設けた抜け止めである。
Ｇは、この抜け止め６と前記支持枠１０間の間隔を示しており、この間隔Ｇは前記溝１０−２の長さより長い寸法になされている。
【００２６】  二点鎖線は、スタンド４に手で内側に力を加えた場合、内側に撓んだ状態を示している。
このときスタンド４は、間隔Ｇが溝１０−２の長さより大きく設定されているので溝１０−２から外れ、小孔１０−１を支点にして回転できるようになる。
更に、スタンド４の上端に抜け止め６が形設されているので、スタンド４は離脱することがない。
【００２７】  図３は、本発明の使用状態を示すもので、図において、２０は、鉄板や磁性板で成形され、熱源を内蔵し、前面に吹出口２１を備えたストーブである。
ストーブ、例えばファンヒーターの吹出口２１から吐き出された熱風は、８０°Ｃ以上にもなるので、これを利用してお湯を沸かすことができる。
吹出口の直近付近は１００度程度になることもあり、火傷しないよう注意する必要がある。
【００２８】  図３に、加温台を永久磁石７によってストーブ２０の前面に固定する状態で設置し、加温台の金網３にやかん２２を載せて湯を沸かす状態を示している。
図のように、加温台は、永久磁石７によって、ストーブ２０に強固に吸着保持されているので、不用意に移動することが防止される。
従って、やかんの熱水や煮物の鍋が移動して落下し、子供や幼児が火傷を負うなどの事故を未然に防止することができる。
【００２９】  図４は、図１の網枠１及び図２の支持枠１０内にスタンド４を畳んで収納しただ状態を示している。
すなわち本発明によれば、スタンド４を簡単に折り畳むことができるので、コンパクトになり、場所を取らず、狭い場所にも収納できる。
【００３０】  叙上のように本発明によれば、加温台に永久磁石や吸盤などの固定具を設けたので、加温台が不用意に移動あるいは転倒して火傷することのない加温台を提供することができる。
又、スタンドを畳むことができるのでコンパクトになり、収納に便利になる。
【００３１】  このように本発明は、ストーブの下方から吐き出された熱風や温風を、暖房以外に安全な状態で有効に利用することができる。
尚、本発明は、述上の実施例に限定されるものではなく、特許請求の範囲において種々の変形例や応用例が考えられ、これらをも含むものである。
【符号の説明】
【００３２】  １…網枠、１−１…小孔、鍔部…２、２−２…溝、３…金網、４…スタンド、５…設地部、６…抜け止め、７…固定具（永久磁石）、１０…支持枠、１０−１…小孔、１０−２…溝、２０…ストーブ、２１…吹き出し口、２２…やかん、Ｇ…間隔
【図１】
2020190403.tif 000003
【図２】
2020190403.tif 000004
【図３】
2020190403.tif 000005
【図４】
2020190403.tif 000006